(57)【要約】【課題】地震の際にアンカーに作用する圧縮力に十分耐え得る基礎構造を提供する。【解決手段】基礎１から突出し、上端部が制振壁（制振壁パネル）１１に連結されるアンカー６に、このアンカー６から外側に張り出す張出部１０が設けられており、この張出部１０によって、前記制振壁１１から前記アンカー６に作用する圧縮力を前記基礎１に伝えるので、地震によって制振壁パネル１１が変形して、アンカー６に圧縮力が作用した場合に、該圧縮力に十分耐えることができる。【選択図】図１
2006265893.tif 000002
【特許請求の範囲】
【請求項１】
基礎から突出し、上端部が制振壁に連結されるアンカーが埋設された基礎構造であって、
前記アンカーには、このアンカーから外側に張り出す張出部が設けられており、この張出部によって、前記制振壁から前記アンカーに作用する圧縮力を前記基礎に伝えることを特徴とする基礎構造。
【請求項２】
請求項１に記載の基礎構造において、
前記張出部は、前記アンカーに螺合されたナットであることを特徴とする基礎構造。
【請求項３】
請求項１に記載の基礎構造において、
前記張出部は、前記アンカーに固定されたプレートであり、
このプレートは基礎鉄筋に固定されていることを特徴とする基礎構造。
【請求項４】
請求項１〜３のいずれか一項に記載の基礎構造において、
前記制振壁は制振壁パネルによって構成されており、
この制振壁パネルは、建築用の壁パネルと、この建築用の壁パネルに形成された開口部に取り付けられた制振装置とを備えていることを特徴とする基礎構造。
【請求項５】
請求項４に記載の基礎構造において、
前記制振装置は、前記開口部内に取り付けられたフレームと、このフレームに対向して設けられた一対の支持部と、この一対の支持部によって支持されて、震動によって一対の支持部が変位した場合に、該一対の支持部間の略中央部を中心として振れるように構成された振り子部材と、この振り子部材の端部と前記フレームとの間に設けられた制振部材とを備えていることを特徴とする基礎構造。
【発明の詳細な説明】
【技術分野】
【０００１】
本発明は、アンカーが埋設された基礎構造に関する。
【背景技術】
【０００２】
住宅等の建物の制振構造の一例として特許文献１に記載のものが知られている。この特許文献１に記載の制振構造では、基礎上に配設されている軸組に耐力壁が含まれており、この耐力壁 にはブレースが組み込まれており、この耐力壁 が外周をはじめ建物全体にバランス良く配置されている。耐力壁は、Ｃ型形鋼を溶接したフレームに、ブレースをＸ字型に組み入れた構成になっている。そして耐力壁に地震などにより強い力が働いた場合、耐力壁に組み入れられたブレースにより、その力に対抗するものである。
また、このような耐力壁は基礎上に設置固定され、該基礎から突出するアンカーに連結されている。
【特許文献１】特開２００１−１４０３４４号公報
【発明の開示】
【発明が解決しようとする課題】
【０００３】
ところで、前記耐力壁の代わりに、制振装置が組み込まれた制振壁パネルを建物全体にバランスよく配置することによって、地震力によって建物に発生する震動を制振することが考えられる。
前記制振壁パネルは、基礎上に敷き込まれた床上に立設するとともに、基礎から突出して床を貫通するアンカーに連結されている。アンカーは一般に基礎と躯体とを緊結するためのものであるので、該アンカーに基礎内に引き抜き強度を十分に確保した状態で埋設されている。
一方、地震力によって建物に生じる震動を制振壁パネルによって制振する場合、制振壁パネルを床に当接させた状態では、地震の際に制振壁パネルが床にめり込んでしまって、制振機能を十分に発揮できなくなるというおそれがあるため、制振壁パネルは床から上方に離間された状態で直接アンカーによって支持させた方が制振機能を十分に発揮できる。
しかし、アンカーは上述したように引き抜き強度は十分に確保されているが、該アンカーに作用する圧縮力については考慮されていない。したがって、地震によって制振壁パネルが変形して、アンカーに引張りや圧縮力が作用した場合に、圧縮力に耐えることができなくなるという問題があった。
【０００４】
本発明は上記事情に鑑みてなされたもので、地震の際にアンカーに作用する圧縮力に十分耐え得る基礎構造を提供することを課題としている。
【課題を解決するための手段】
【０００５】
上記課題を解決するために、請求項１に記載の発明は、例えば図１〜図６に示すように、基礎１から突出し、上端部が制振壁（制振壁パネル）１１に連結されるアンカー６が埋設された基礎構造であって、
前記アンカー６には、このアンカー６から外側に張り出す張出部１０が設けられており、この張出部１０によって、前記制振壁１１から前記アンカー６に作用する圧縮力を前記基礎１に伝えることを特徴とする。
【０００６】
ここで、前記張出部は水平方向に張出すのが望ましく、その下面も水平な平面が望ましい。
張出部をアンカーに設ける場合、該アンカーに溶接等によって張出部を固定してもよいし、アンカーの上端部に形成されている雄ねじに、張出部を螺合させて設けてもよい。
さらに、張出部はその上面が基礎の上端面と面一となるように基礎の上端部に配置してもよいし、基礎の内部に完全に埋設されるようにして配置してもよい。
【０００７】
請求項１に記載の発明によれば、アンカー６には、このアンカー６から外側に張り出す張出部１０が設けられており、この張出部１０によって、制振壁１１から前記アンカー６に作用する圧縮力を基礎１に伝えるので、地震によって制振壁パネル１１が変形して、アンカー６に圧縮力が作用した場合に、該圧縮力に十分耐えることができる。
【０００８】
請求項２に記載の発明は、例えば図７に示すように、請求項１に記載の基礎構造において、
前記張出部３１は、前記アンカ６ーに螺合されたナット３１であることを特徴とする。
【０００９】
請求項２に記載の発明によれば、張出部３１がアンカー６に螺合されたナット３１であるので、張出部３１の、アンカー６の軸方向における位置決めを容易に行える。
【００１０】
請求項３に記載の発明は、例えば図１および図２に示すように、請求項１に記載の基礎構造において、
前記張出部１０は、前記アンカー６に固定されたプレート１０であり、このプレート１０は基礎鉄筋５に固定されていることを特徴とする。
【００１１】
請求項３に記載の発明によれば、張出部１０がプレートであり、このプレートは基礎鉄筋５に固定されているので、アンカー６の引き抜き強度を向上させることができる。
【００１２】
請求項４に記載の発明は、例えば図１〜図６に示すように、請求項１〜３のいずれか一項に記載の基礎構造において、
前記制振壁１１は制振壁パネル１１によって構成されており、
この制振壁パネル１１は、建築用の壁パネル１２と、この建築用の壁パネル１２に形成された開口部１２ｄに取り付けられた制振装置１３とを備えていることを特徴とする。
【００１３】
請求項４に記載の発明によれば、制振壁１１が制振壁パネル１１によって構成されているので、パネル工法に容易に導入することができる。つまり、建築用の壁パネルを複数連結することによって壁を構成する際に、所定の壁パネルを制振壁パネル１１に取り替えることによって、制振壁パネル１１を容易に壁に組み込むことができる。
また、制振壁パネル１１は、建築用の壁パネル１２と、この建築用の壁パネル１２に形成された開口部１２ｄに取り付けられた制振装置１３とを備えているので、工場等で予め制振壁パネル１１を製造でき、現場では制振装置１３が組み込まれた制振壁パネル１１を建て込むだけでよい。
【００１４】
請求項５に記載の発明は、請求項４に記載の基礎構造において、
前記制振装置１３は、前記開口部１２ｄ内に取り付けられたフレーム２２と、このフレーム２２に対向して設けられた一対の支持部２３，２３と、この一対の支持部２３，２３によって支持されて、震動によって一対の支持部２３，２３が変位した場合に、該一対の支持部間の略中央部を中心として振れるように構成された振り子部材２４と、この振り子部材２４の端部と前記フレーム２２との間に設けられた制振部材２６とを備えていることを特徴とする。
【００１５】
ここで、前記フレーム２２は例えば矩形枠状に形成され、壁パネル１２に形成された矩形状の開口部１２ｄに取り付けられる。壁パネル１２としては、例えばパネル工法やツーバイフォー工法における建築用の壁パネルが挙げられる。なお、パネル工法は、壁や床、屋根といった構成要素を予め工場にてパネル化しておき、施工現場でこれらのパネルを組立てることによって建物を構築する工法である。
また、制振部材２６としては、バネとダンパからなる制振部材、ゴム、オイルダンパー、粘弾性材料などが好適に使用され、さらには摩擦で震動を減衰させるものでもよい。
また、上記のような制振装置１３が取り付けられてなる制振壁パネル１１は、新築の建物の壁として組み込んでもよいし、既設の建物の壁をリフォームする際に組み込んでもよい。
【００１６】
請求項５に記載の発明によれば、建物の小さな変形から制振機能を有効に働かせるために、てこ機構を用いて建物の変形を増幅して制振部材に伝達している。
すなわち、建物に地震等の震動によって変形が生じると、この建物を構成する制振壁パネル１１の一対の支持部２３，２３がフレーム２２を介して変位する。一対の支持部２３，２３が変位することによって、振り子部材２４が一対の支持部２３，２３間の略中央部を中心として振り子のように振れ、この振り子部材２４の端部は振れが増幅され、これによって、前記一対の支持部２３，２３の変位が増幅される。したがって、振り子部材２４の端部とフレーム２２との間に設けられている制振部材（制振ゴム２６）の変形を増幅できるので、建物の小さな変形から制振機能を有効に働かせることができる。
また、制振部材２６の変形速度も建物の変形速度より増幅することができるため、エネルギー吸収性能が変形速度に比例する制振部材（例えば粘弾性材料など）を用いる場合には、より効率的にエネルギーを吸収でき、大きな減衰力を発揮できる。
また、制振装置１３が取り付けられた制振壁パネル１１は、予め工場等で製造しておくことができるので、現場ではこの制振壁パネル１１を設置することによって、建物に制振構造を容易に導入することができ、現場での施工が簡単となる。
さらに、制振壁パネル１１は建物の所望の位置に設置できるので、地震の際にもっとも揺れるような箇所に制振壁パネル１１を設置でき、よって、制振構造を容易かつ確実にしかも効果的に建物に導入できる
【発明の効果】
【００１７】
本発明によれば、基礎から突出し、上端部が制振壁に連結されるアンカーに、このアンカーから外側に張り出す張出部が設けられており、この張出部によって、前記制振壁から前記アンカーに作用する圧縮力を前記基礎に伝えるので、地震によって制振壁が変形して、アンカーに圧縮力が作用した場合に、該圧縮力に十分耐えることができる。
【発明を実施するための最良の形態】
【００１８】
以下、図面を参照して本発明の実施の形態について説明する。
（第１の実施の形態）
図１は、第１の実施の形態を示すもので、基礎構造の断面図である。第１図において符号１は、基礎を示す。この基礎１は断面Ｔ字形をなす布基礎であり、フーチング部１ａと立上り部１ｂとから構成されている。立上り部１ｂは地盤面Ｇから上方に突出しており、その上端面には台輪２が設けられている。この台輪２に床３が敷設されており、該床３は台輪２を介して基礎１によって下方から支持されている。床３は複数の床パネル４を水平方向に連結することによって構成されており、基礎１の上端面において隣り合う床パネル４，４が連結されている。床パネル４は、框材４ａを矩形枠状に組み立てるとともに、この矩形枠の内側に補強桟材を縦横に組み付け、さらに、矩形枠の上面に合板等からなる面材４ｂを取り付けてなるものである。
【００１９】
前記基礎１の内部には基礎鉄筋５が埋設されている。この基礎鉄筋５は、Ｔ字形状に配置された鉄筋５ａを紙面と直交する方向に所定間隔で配置するとともに、これら鉄筋５ａを上端筋５ｂ、下端筋５ｃ、配力筋５ｄとによって連結してなるものである。なお、この連結は溶接や番線等によって結束することによって行われている。
【００２０】
また、前記基礎１の内部には、アンカーボルト（アンカー）６が上下に向けて設けられており、このアンカーボルト６の上端部は基礎１から上方に突出しており、該アンカーボルト６の下端部にはナット７が螺合されている。このナット７はアンカーボルト６の引き抜き強度を所定値以上に確保するためのものである。
さらに、アンカーボルト６の上端部には、図１および図２に示すように、張出部１０が設けられている。この張出部１０はアンカーボルト６から外側に張り出す断面Ｌ字形のプレートであり、水平板部１０ａと垂直板部１０ｂとによって構成されており、これら水平板部１０ａと垂直板部１０ｂとは直角に一体的に形成されている。水平板部１０ａの中央部にはねじ穴１０ｃが形成されており、このねじ穴１０ｃをアンカーボルト６の上端部に形成されている雄ねじ６ａに螺合させることによって、張出部１０がアンカーボルト６の上端部に取り付けられている。
また、張出部１０はその水平板部１０ａの上面が、基礎１の上端面と面一になるようにして配置されており、水平板部１０ａの端部は基礎１の立上り部１ｂの側面とほぼ面一となっている。
さらに、張出部１０の垂直板部１０ｂは、基礎鉄筋５の上端筋５ｂに向けて垂設されており、該垂直板部１０ｂの下端部が上端筋５ｂに当接され、溶接や番線等の結束によって該上端筋５ｂに固定されている。
【００２１】
このような構成の基礎構造を備えた基礎１は、基礎１の外形を形成するような、図示しない型枠を設置するとともに、この型枠内に基礎鉄筋５を配筋するとともに、アンカーボルト６をその上端部が型枠から突出するように、かつ、張出部１０の水平板部１０ａの上面が型枠の上端面と面一になるようにして配筋したうえで、型枠内にコンクリートを打設し、養生後に脱型することによって築造される。張出部１０の水平板部１０ａの下面が基礎１の上端面に当接しているので、コンクリートが硬化すると、アンカーボルト６に作用する圧縮力を基礎１に伝えることができる。
【００２２】
上記のようにして築造された基礎１から突出するアンカーボルト６は、図３に示すように、制振壁を構成する制振パネル１１に連結されている。この連結は、制振パネル１１の下端部において、左右両側で行われている。
制振壁パネル１１は建築用の壁パネル１２と、この壁パネル１２に形成された開口部１２ｄに取り付けられた制振装置１３とを備えている。壁パネル１２は上下に間隔をおいて設けられた小壁パネル１２ａ、腰壁パネル１２ｂと、これらパネル１２ａ，１２ｂを連結する結合材１２ｃ，１２ｃとを備えて構成されている。
結合材１２ｃの下端部には、鋼製の連結金具１４が取り付けられている。この連結金具１４は、図４に示すように、矩形状の連結室１４ａを有しており、この連結室１４ａに、前記アンカーボルト６の上端部が下方から連結金具１４の下壁部を貫通して挿入されている。
【００２３】
前記アンカーボルト６の上端部には、支持部材１５が設けられている。この支持部材１５は鋼製の円板状のプレートであり、その中央部にはねじ穴１５ａが形成されている。そして、支持部材１５はそのねじ穴１５ａをアンカーボルト６の雄ねじ６ａに螺合することによって、アンカーボルト６の上端部に固定されている。この状態において支持部材１５と床３との間には若干の隙間Ｓが設けられている。そして、この支持部材１５に前記連結金具１４が設置されることによって、支持部材１５によって制振壁パネル１１が下方から支持されており、該制振壁パネル１１は床３から上方に離間した状態となっている。
また、前記連結室１４ａに挿入されたアンカーボルト６には、座金１６、ばね座金１７が外挿されたうえで、ナット１８が螺合している。そして、このナット１８を締め付けることによって、連結金具１４が支持部材１５に固定されている。したがって、制振壁パネル１１は、アンカーボルト６の上端部に、該制振壁パネル１１を床３から上方に離間させた状態で連結されている。また、制振壁パネル１１の上端部は上階の床の下面に当接され、複数のガセット１９によって床に結合されている。
【００２４】
前記制振壁パネル１１の制振装置１３は、以下のように構成されている。
すなわち、図３および図５に示すように、制振装置１３はフレーム２２と、このフレーム２２に対向して設けられた一対の支持部２３，２３と、この支持部２３，２３によって支持された振り子部材２４と、前記フレーム２２に取り付けられた制振ボックス２５とを備えている。
【００２５】
前記支持部２３は、図６に示すように、２枚の支持板２３ａ，２３ａを備えている。支持板２３ａは、略二等辺三角形状に形成されており、その頂部と対向する辺を上下に向け、かつ、頂部を内側に向けて配置されている。支持板２３ａは、略二等辺三角形状に形成されているので、その長手方向（上下方向）中央部が端部側より幅広に形成されている。したがって、２枚の支持板２３ａ，２３ａで構成された支持部３もその長手方向（上下方向）中央部が端部側より幅広に形成されている。さらに、一対の支持部２３，２３は、それぞれの頂部を振り子部材２４の中央部において対向させて設けられている。
【００２６】
また、前記一対の支持部２３，２３の長手方向中央部すなわち対向する頂部によって振り子部材２４の長手方向中央部が支持されており、この振り子部材２４は、震動によって一対の支持部２３，２３が変位した場合に、該一対の支持部２３，２３間の略中央部を中心として振れるように構成されている。
すなわち、振り子部材２４は板状でかつ略菱形状に形成されており、長手方向を上下に向けて配置されている。振り子部材２４の中央部の左半分は、一方の支持部２３の支持板２３ａ，２３ａ間に挟まれており、右半分は他方の支持部３の支持板２３ａ，２３ａ間に挟まれている。
また、一方の支持部２３の支持板２３ａ，２３ａの頂部には孔が形成されており、他方の支持部２３の支持板２３ａ，２３ａの頂部にも孔が形成されている。一方、振り子部材２４の中央部には、左右に離間して孔が形成されており、これら孔のうち左側の孔２４ａは左右に長い長孔となっている。
【００２７】
そして、一方の支持部の支持板２３ａ，２３ａに形成された孔と、振り子部材２４の中央部に形成された一方の長孔とには、軸３０が振り子部材２４を回転可能とするように、かつ、長穴の長さ方向に摺動可能となるように挿通されている。また、他方の支持部２３の支持板２３ａ，２３ａに形成された孔と、振り子部材２４の中央部に形成された他方の孔とには、軸３０が振り子部材４を回転可能とするように挿通されている。
これによって、振り子部材２４は、一対の支持部２３，２３によって軸３０，３０を介して支持されており、この振り子部材２４は、震動によって一対の支持部２３，２３が変位した場合に、該一対の支持部２３，２３間の略中央部、言い換えれば、軸３０，３０間の中央部を中心として振れるように構成されている。
【００２８】
また、前記フレーム２２には、制振ボックス２５が前記振り子部材２４の端部に対向して取り付けられている。
制振ボックス２５内には、一対の制振ゴム（制振部材）２６，２６と、これら制振ゴム２６，２６間に挿入されかつ該一対の制振ゴム２６，２６に固着されたプレート２７とが設けられている。プレート２７の一端部（上端部）は、ボックス２５より上方に突出しており、この突出した部分が、プレート２８を介して振り子部材２４の端部に連結されている。
【００２９】
上記のような制振壁パネル１１では、まず、この制振壁パネル１１を組み込んだ建物に地震等の横揺れ震動によって変形が生じると、制振壁パネル１１の矩形状のフレーム２２が略平行四辺形状に変形する。フレーム２２が略平行四辺形状に変形すると、一対の支持部２３，２３が斜め上下に互いに離間するようにして変位する。
一対の支持部２３，２３が変位することによって、振り子部材２４が一対の支持部２３，２３間の略中央部を中心として振り子のように振れ、この振り子部材２４の端部は振れが増幅され、これによって、前記一対の支持部２３，２３の変位が増幅される。
そして、振り子部材２４の端部と制振ボックス２５のプレート２７とが連結されており、この連結プレート２７は制振ゴム２６，２６間に挿入されかつ該一対の制振ゴム２６，２６に固着されているので、この制振ゴム２６，２６の変形を増幅できる。したがって、建物の小さな変形から制振機能を有効に働かせることができる。
また、制振ゴム２６，２６の変形速度も建物の変形速度より増幅することができるため、エネルギー吸収性能が変形速度に比例する粘弾性材料から形成された制振ゴムを用いる場合には、より効率的にエネルギーを吸収でき、大きな減衰力を発揮できる。
【００３０】
また、制振壁パネル１１が地震の震動によって変形すると、制振壁パネル１１の下端部にアンカーボルト６が連結されているので、このアンカーボルト６には、引張力や圧縮力が作用する。そして、このアンカーボルト６には、このアンカーボルト６から外側に張り出す張出部１０が設けられており、この張出部１０が基礎１の上端面に設置されているので、この張出部１０によって、制振壁パネル１１からアンカーボルト６に作用する圧縮力を基礎１に伝えることができる。したがって、地震によって制振壁パネル１１が変形して、アンカーボルト６に圧縮力が作用した場合に、該圧縮力に十分耐えることができる。
また、アンカーボルト６の下端部にはナット７が設けられているので、このナット７によってアンカーボルト６の引き抜き力に耐えることができるが、前記張出部１０が断面Ｌ字型のプレートであり、このプレートの垂直板部１０ｂが基礎鉄筋５の上端筋５ｂに固定されているので、アンカーボルト６の引き抜き強度を向上させることができる。
さらに、この張出部１０が垂直板部１０ｂを有しているので、アンカーボルト６に地震等の際に横揺れが作用した際に、垂直板部１０ｂによってアンカーボルト６の倒れを防止できる。
【００３１】
（第２の実施の形態）
図７は本発明の第２の実施の形態を示すもので、基礎構造の断面図である。本実施の形態が、前記第１の実施の形態と異なる点は、アンカーボルト６に設ける張出部の構成であるので、以下ではこの点のみを説明し、他の共通部分については同一符号を付してその説明を省略する。
【００３２】
図７に示すように、アンカーボルト６の上端部には、このアンカーボルト６から外側に張出す張出部３１が設けられている。この張出部３１はナット３１であり、このナット３１をアンカーボルト６の上端部に形成された雄ねじ６ａに螺合することによって、該ナット３１がアンカーボルト６に取り付けられている。ナット３１はその上面が基礎１の上端面と面一になるようにして配置されている。
したがって、張出部３１によって、制振壁パネル１１からアンカーボルト６に作用する圧縮力を基礎１に伝えることができるので、地震によって制振壁パネル１１が変形して、アンカーボルト６に圧縮力が作用した場合に、該圧縮力に十分耐えることができる。
また、張出部３１がアンカーボルト６に螺合されたナット３１であるので、張出３１部の、アンカーボルト６の軸方向における位置決めを容易に行える。
なお、図７においては、基礎鉄筋５や、床、制振壁パネルは記載を省略してあるが、これらは、図１に示すものと同一の構成である。
【図面の簡単な説明】
【００３３】
【図１】本発明の第１の実施の形態を示すもので、基礎構造の断面図である。
【図２】同、アンカーボルトと張出部を示す斜視図である。
【図３】同、制振壁パネルを示す正面図である。
【図４】同、制振壁の下端部を示す断面図である。
【図５】同、制振装置を示す正面図である。
【図６】同、制振装置の支持部と振り子部材を示す斜視図である。
【図７】本発明の第２の実施の形態を示すもので、基礎構造の断面図である。
【符号の説明】
【００３４】
１  基礎
５  基礎鉄筋
６  アンカーボルト（アンカー）
１０，２１  張出部
１１  制振壁パネル（制振壁）
１２  壁パネル
１２ｄ  開口部
１３  制振装置
２２  フレーム
２３  支持部
２４  振り子部材
２６  制振ゴム（制振部材）
【図１】
2006265893.tif 000003
【図２】
2006265893.tif 000004
【図３】
2006265893.tif 000005
【図４】
2006265893.tif 000006
【図５】
2006265893.tif 000007
【図６】
2006265893.tif 000008
【図７】
2006265893.tif 000009